(57)【特許請求の範囲】
【請求項１】
平板状部材からなり、
少なくとも１本または２本以上の相互に略平行な折り線で、二つにまたはジグザグに折り曲げることができるようになっており、
前記折り曲げにより分画された各区片の両側縁に、法面保護網の網線と係合するための網線係止溝が設けられており、
法面保護網の網目内に、前記各区片の両方の網線係止溝が前記網線と係合した状態で設置されるように構成されていることを特徴とする、法面保護網用スペーサー。
【請求項２】
前記各区片における網線係止溝の溝底部間の間隔が、網目の辺の長さと略等しいか網目の辺の長さより長く、網目の対角線の長さよりは短く、
各区片における網線係止溝の溝の長さが、網線の線径より長いことを特徴とする、請求項１に記載のスペーサー。
【請求項３】
前記平板状部材が矩形型であり、
前記折り線が側方縁辺と平行であり、
前記網線係止溝が側方縁辺および折り線に対して垂直方向に伸びる溝であることを特徴とする、請求項１または２に記載のスペーサー。
【請求項４】
３本の平行な折り線が設けられており、
全ての区片における形状が等しく、
全ての区片における網線係止溝の溝底部間の間隔が、網目の辺の長さと略等しいことを特徴とする、請求項２または３に記載のスペーサー。
【請求項５】
網線係止溝が、側方縁辺の長さの略１/２の位置に設けられていることを特徴とする、請求項１〜４のいずれかに記載のスペーサー。
【請求項６】
網線係止溝が、網線の線径よりわずかに大きい溝幅を有する長溝であることを特徴とする、請求項１〜５のいずれかに記載のスペーサー。
【請求項７】
網線を網線係止溝に導くための、網線係止溝と連続する網線導入溝が、下方縁辺に設けられていることを特徴とする、請求項１〜６に記載のスペーサー。
【請求項８】
網線を網線係止溝に導くための、網線係止溝と連続する網線導入切り欠き部が、下方縁辺から網線係止溝の開口下端部に向けて斜めに設けられていることを特徴とする、請求項１〜７に記載のスペーサー。
【請求項９】
折り線上の少なくとも一部に、前記スペーサーを折り易くするための切目、押目またはミシン目が設けられていることを特徴とする、請求項１〜８のいずれかに記載のスペーサー。
【請求項１０】
折り線の上方末端および下方末端の少なくとも一方に、折り位置の目印とするための切り欠き部が設けられていることを特徴とする、請求項１〜９のいずれかに記載のスペーサー。
【請求項１１】
紙で構成されていることを特徴とする、請求項１〜１０のいずれかに記載のスペーサー。
【請求項１２】
側方縁辺の長さに応じて、異なった色に着色されていることを特徴とする、請求項１１に記載のスペーサー。
【発明の詳細な説明】
【０００１】
【発明の属する技術分野】
本発明は、法面保護網を法面から所定間隔浮かせて保持するための、法面保護網用スペーサーに関する。
【０００２】
【従来技術】
従来、金属網、プラスチック繊維網等の保護網を法面全体に張設した後、該保護網の上からモルタル、コンクリート、緑化客土等の保護層を吹き付ける、法面保護工事が広く実施されている。
【０００３】
このとき、コンクリート層またはモルタル層の上方または下方に保護網が位置すると、保護網による配筋効果を全く期待することができず、そのためコンクリート層またはモルタル層にクラックが発生しやすくなる。また緑化客土層の上方または下方に保護網が位置すると、保護網による客土係止効果を全く期待することができず、そのため客土が脆く剥がれやすくなる。従って、保護層を経時的に安定に形成するためには、保護網を保護層の略中央付近に埋設する必要がある。このため、これまで保護網を法面から一定間隔に保つためのスペーサーが種々検討されてきた。
【０００４】
【発明が解決しようとする課題】
実開昭６２−１７６２３８号公報は、法面保護網浮かせ部分、法面保護網押さえ部分、およびはずれ防止片を有する金属製のスペーサーピンを開示している。また、このスペーサーピン以外にも、法面保護網の網線接合部に差し込んで固定する棒状スペーサーや、特殊形状の金具部に法面保護網の網線接合部を挟み込んで固定する棒状スペーサーが知られている（例えば、実開平４−３９２３９号公報の図５、特開平８−６８０５６号公報の図１参照）。しかし、これらの棒状スペーサーは、設置後の法面保護網の移動・振動等により転倒しやすく、また法面保護網の接合部を開いてスペーサーを差し込む作業に手間がかかり、高所での作業は危険でもあった。
【０００５】
実開昭６２−１５４０４２号公報および実開昭６４−６４１号公報は、断面形状略Ｖ字形に折曲げ成形された板状体のＶ字形の開放両端縁に、開放側から閉鎖側に向う切れ込みが設けられている、Ｖ字形板状体スペーサーを開示している。このスペーサーは傾倒しにくいものの、切れ込み溝と網線との係合が弱く、設置後の法面保護網の移動・振動等により、スペーサーが網線から脱落し易いという問題があった。
【０００６】
実開平５−８３０４５号公報は、十字形に成形された板状体の４枚の板片の外側縁中央部に下向き切り込み溝と山型溝が交互に形成されている、十字形板状体スペーサーを開示している。また、特開平９−２２８３７７号公報は、ほぼ直角に屈曲せしめられた板状体の屈曲辺を形成する一端部に、該屈曲辺の外側に法面保護網の線材を狭持する間隙を有する線材保持部を形成した板状体スペーサーを開示している。これらのスペーサーは、傾倒しにくく、スペーサーが網線から脱落しにくいものの、立体的に嵩高いため作業員が一度に運搬可能な数が制限されて作業性が悪く、また形状が複雑で安価に製造しにくいという問題があった。
【０００７】
さらに、緑化客土層を吹き付けて法面を保護する場合には、環境保護の観点から、土中に埋設された後短期間のうちに分解されて客土と一体化するスペーサーが望まれている。この要望に対し、特開平１１−５０４６３号公報は、スペーサーを生分解性プラスチックで構成することを開示しているが、生分解性プラスチックの製造は一般に高価であり、また分解に３〜５年を要するという問題があった。また、特開平１１−１３１４８１号公報は、有機土壌改良材、無機土壌改良材、肥料および接着剤を混合し、これらを筒状に成形・固化して構成したスペーサーを開示している。しかし、このスペーサーは、立体的な嵩高さおよび作業性、製造容易性等については考慮されていない。
【０００８】
本発明は、上述した従来技術の問題点を除くために成されたものであり、本発明の目的は、製造が容易であり、作業員が一度に大量に運搬することができ、設置が簡単である法面保護用スペーサーを提供することである。また、本発明の別の目的は、設置後の法面保護網の移動・振動によって、傾倒したり網線から脱落することがない法面保護用スペーサーを提供することである。また、本発明のさらに別の目的は、特に緑化客土の吹き付けにおいて好適に使用することができる、土中に埋設された後短期間のうちに容易に分解される法面保護網用スペーサーを提供することである。
【０００９】
【課題を解決するための手段】
上記目的を達成する請求項１に記載の法面保護網用スペーサーは、平板状部材からなり、少なくとも１本または２本以上の相互に略平行な折り線で、二つにまたはジグザグに折り曲げることができるようになっており、前記折り曲げにより分画された各区片の両側縁に、法面保護網の網線と係合するための網線係止溝が設けられており、法面保護網の網目内に、前記各区片の両方の網線係止溝が前記網線と係合した状態で設置されるように構成されていることを特徴とする。
【００１０】
なお、本明細書において、“区片”とは、平板状部材からなる本発明のスペーサーを折り曲げた際に、折り線で分画される部分片を言い、“網目”とは、法面保護網を構成する１個の正方形またはひし形の目を言う。また２箇所以上に折り線が存在する場合には、本発明のスペーサーをジグザグに折り曲げるための山折り線と谷折り線とが交互に存在することになる。
【００１１】
請求項１に記載のスペーサーは、平板状部材からなるため製造が容易であり、作業者が作業にあたって一度に大量のスペーサーを重ねて運搬することができる。また、このスペーサーは二つにまたはジグザグに折り曲げられて各区片の両方の網線係止溝が法面保護網の網線と係合した状態で設置されるため、法面保護網に安定に保持される。さらに、網目内への設置作業も簡便である。
【００１２】
請求項２に記載の発明は、上記各区片における網線係止溝の溝底部間の間隔が、網目の辺の長さと略等しいか網目の辺の長さより長く、網目の対角線の長さよりは短く、各区片における網線係止溝の溝の長さが、網線の線径より長いことを特徴とする。なお、“網目の辺の長さ”とは、網線の内側（目の中心側）の正方形またはひし形の辺の長さを言い、また、“網目の対角線の長さ”とは、一般には、網線の内側（目の中心側）の正方形またはひし形の２本の対角線のいずれかの長さを言うが、法面保護網の網目がひし形であり、２本の対角線の短い方の長さが“網目の辺の長さ”と略等しいかまたはより短い場合には、長い方の対角線の長さを言う。このスペーサーによれば、網線係止溝と網線とが数箇所で相互に力を及ぼし、網線と網線係止溝とが充分に係合するため、スペーサーが法面保護網から脱落しにくい。
【００１３】
請求項３に記載の発明は、上記平板状部材が矩形型であり、上記折り線が側方縁辺と平行であり、上記網線係止溝が側方縁辺および折り線に対して垂直方向に伸びる溝であることを特徴とする。請求項３に記載のスペーサーによれば、法面とスペーサーの下方縁辺とがＶ字状またはジグザグ状に広く接するため、法面保護網の移動・振動によってもスペーサーが傾倒しにくい。
【００１４】
請求項４に記載の発明は、３本の平行な折り線が設けられており、全ての区片における形状が等しく、全ての区片における網線係止溝の溝底部間の間隔が、網目の辺の長さと略等しいことを特徴とする。このスペーサーは、該スペーサーの折り曲げられたスペーサーの復元力、すなわち折り曲げられた形状から平板形状に戻ろうとする力、により法面保護網の網目の全体にＷ状またはＭ状に広がってバランスよく法面保護網と相互に力を及ぼし、法面とスペーサーもバランスよく接触するため、法面保護網の移動・振動によってスペーサーが傾倒することがなく、スペーサーが法面保護網から脱落することがない。また、法面保護網に設置する際の折り曲げ回数が少なく、折り曲げたスペーサーを網目の対角線方向に差し込んだ後全体を略４５°回転させて対向する網線に網線係止溝を係合させることにより簡便に設置できるため、作業性がきわめて良好である。
【００１５】
上記スペーサーにおいて、網線係止溝が側方縁辺の長さの略１/２の位置に設けられていれば、法面保護工事において保護層をスペーサーが隠れる程度に施した場合に法面保護網を保護層の略中央に位置させることができる。さらに、網線係止溝が網線の線径よりわずかに大きい溝幅を有する長溝であれば、網線と網線係止溝との係合性が良好であり、スペーサーの保護網からの脱落をさらに防止することができる。
【００１６】
上記スペーサーには、網線を網線係止溝に導くための網線係止溝と連続する網線導入溝が、下方縁辺に設けられていてもよく、また、網線を網線係止溝に導くための網線係止溝と連続する網線導入切り欠き部が、下方縁辺から網線係止溝の開口下端部に向けて斜めに設けられていてもよい。さらに、折り線上の少なくとも一部には、前記スペーサーを折り易くするための切目、押目またはミシン目が設けられていてもよく、折り線の上方末端および／または下方末端に、折り位置の目印とするための切り欠き部が設けられていてもよい。
【００１７】
上記スペーサーは、紙で構成することができる。紙で構成すれば、緑化客土による法面保護においては緑化客土中に埋設した後短期間の間に容易に分解させることができ、さらに紙を側方縁辺の長さに応じて異なった色に着色すれば、設置作業の効率を向上させることができ、設置後の確認作業も容易になる。
【００１８】
【発明の実施の形態】
以下に、本発明の法面保護網用スペーサーの実施の形態について、図を参照しながら詳細に説明する。但し、本発明は、下記実施の形態に限定されるものではない。
【００１９】
図１（Ａ）は、本実施の形態の法面保護網用スペーサー１の平面図を示しており、同図（Ｂ）は、スペーサー１を折り曲げた際の形状を示した斜視図である。スペーサー１は、充分な強度を有する紙（例えば、厚さ２ｍｍの段ボール等）製の矩形型の平板部材からなり、側方縁辺３−ａ、３−ｂと平行な３本の折り線（山折り線６、谷折り線７、別の山折り線６）が設けられている。本実施の形態のスペーサー１は、これらの折り線６、７でジグザクに折り曲げられ、４個の同形状の矩形型の区片２−ａ、２−ｂ、２−ｃ、２−ｄに分画される。そして、この折り曲げられた形状が、法面保護網に設置される前の最終的な形状である。
【００２０】
本実施の形態のスペーサー１の各区片２おける、側方縁辺３と隣接する折り線６との間隔および隣接する折り線６、７間の間隔（Ｌａ、Ｌｂ、Ｌｃ、Ｌｄ）は全て等しい長さに設定されており、本実施の形態のスペーサー１が、以下に示すように折り畳まれた後網目の対角線方向に差し込まれるため、網目の対角線の長さより短く設定されている。例えば、スペーサー１をＪＩＳ  Ｇ  ３３５２において規格化されている線径２ｍｍの網線で構成される５０ｍｍ目のひし形の網目を有する法面保護網に設置するために作成した場合には、側方縁辺３と隣接する折り線６との間隔および隣接する折り線６、７間の間隔（Ｌａ、Ｌｂ、Ｌｃ、Ｌｄ）は６０〜７０ｍｍに設定されている。側方縁辺３の長さ（Ｋ）は、法面保護工事における保護層の厚さに応じて設定されており、例えば約５０ｍｍ強の厚さの保護層を形成するために使用されるスペーサー１の場合には、側方縁辺３の長さ（Ｋ）は５０ｍｍに設定されている。
【００２１】
本実施の形態の法面保護網用スペーサー１の折り曲げられた各区片２の両側縁には、側方縁辺３および折り線６、７に対して垂直方向に伸びる、法面保護網の網線と係合するための長溝形状の網線係止溝８が設けられている。本図に示したような３本の折り線６、７が設けられているスペーサー１の場合には、側方縁辺３−ａ、３−ｄには開口端部Ｒと溝底部Ｐを有する網線係止溝８が設けられており、折り線６、７には、スペーサー１が折り曲げられた時に網線係止溝８が形成されるように、折り線６、７の左右に広がる開口が形成されている。
【００２２】
網線係止溝８の溝幅は、網線の線径よりわずかに大きく設定されており、上述のＪＩＳ  Ｇ  ３３５２において規格化されている線径２ｍｍの網線で構成される法面保護網に設置されるスペーサー１の場合には、約２．５ｍｍの溝幅に設定されている。網線係止溝８は、側方縁辺３の長さの略１/２の位置に設けられており、例えば側方縁辺３の長さ（Ｋ）が５０ｍｍに設定されているスペーサー１の場合には、下方縁辺４から約２５ｍｍの位置に網線係止溝８が設けられている。
【００２３】
本実施の形態の法面保護網用スペーサー１の各区片２における網線係止溝８の溝底部Ｐ間の間隔（Ｍａ、Ｍｂ、Ｍｃ、Ｍｄ）は全て等しく、網目の辺の長さと略等しく設定されている。上述のＪＩＳ  Ｇ  ３３５２において規格化されている５０ｍｍ目のひし形の網目を有する法面保護網に設置されるスペーサーの場合には、網線係止溝８の溝底部Ｐ間の間隔（Ｍａ、Ｍｂ、Ｍｃ、Ｍｄ）は、４８ｍｍ〜５０ｍｍに設定されている。
【００２４】
次に、本実施の形態の法面保護網用スペーサー１の保護網への設置方法を、図２を使用して説明する。
【００２５】
まず、法面保護工事においては、法面保護網４００を法面全体に展開し、保護網を法肩部に固定する。次に、法面保護網４００が法面に接触している箇所に重点的に本実施の形態のスペーサー１を設置するが、設置前の作業として、スペーサー１をジグザグに折って畳む。そして、この状態で法面保護網４００の上方から矢印１００方向に、網目の対角線方向に向けて差し込む。この状態が図２の符号１−１に示されている。次に、図２の符号１−２に示したように、折り曲げた形状のスペーサー１を矢印２００方向に回転させて、網線係止溝８を対向する網線４０１と係合させる。
【００２６】
次に、図２の符号１−３に示したように、スペーサー１を１つの網目全体に押し広げて設置が完了する。折り曲げられたスペーサー１の平板に戻ろうとする復元力が手伝って、スペーサー１は網目全体に容易に押し広げられる。設置後は、折り曲げられたスペーサー１の復元力により、法面保護網４００の４本の網線４０１とスペーサー１の網線係止溝８の溝底部Ｐとが数箇所で相互に力を及ぼし、また、法面とスペーサー１の下方縁辺４とがＷ字状に広く接するため、法面保護網４００の移動・振動によってスペーサー１が傾倒せず、スペーサー１が法面保護網４００から脱落しない。最後に、緑化客土等の保護層を保護網４００全体に吹付け、保護網４００およびスペーサー１を埋設して法面保護工事を完了する。
【００２７】
図１に示すスペーサー１において、折り線６、７の本数に特に限定はない。しかし、あまり多すぎると折り曲げ作業に時間がかかるため、折り線が１〜５本であるのが好ましく、奇数本であると設置後のバランスが良いためさらに好ましく、３本であるのが特に好ましい。折り線６、７が３本であると、図２に示すように、スペーサー１が法面保護網に設置された後に、スペーサー１の復元力により網目全体に略Ｗ字状または略Ｍ字状に広がるため、バランスよく法面保護網を支えることができ、また折り曲げ回数が少ないため作業性もよい。
【００２８】
図１に示すスペーサー１において、折り線６、７には適宜、上方末端および／または下方末端に折り位置の目印となる切り欠き部９および折り線６、７上の少なくとも一部に折りやすくするための切目、押目またはミシン目１０が設けられていてもよい。図３（Ａ）は、図１に示すようなスペーサー１に切り欠き部９および切り目１０を設けた場合の、２個の区片についての平面図、同図（Ｂ）は同図（Ａ）のＸ−Ｘ´における断面図をそれぞれ示している。切目１０が設けられる場合には、図３（Ｂ）に示すように、折り曲げた際に谷部となる部位に設けられているのが好ましい。このようにすることによって、折り曲げ時の作業性を向上させることができる。但し、切目、押目またはミシン目は、折り曲げられたスペーサー１が平板に戻ろうとする復元力を失わない程度に施されているのが好ましい。
【００２９】
図１に示すスペーサー１において、網線係止溝８の溝の長さ、すなわち開口端部Ｒと溝底部Ｐの間の長さ、は網線との充分な係合が保たれるように、網線の線径より長く設定され、できるだけ長いのが望ましい。特に、図４に示すように、スペーサー１を法面保護網に設置した後にスペーサー１に前後左右方向およびねじれ方向の力がかかった結果、当初の網線と網線係止溝８との係合点Ｑが網線の中央付近の点Ｑ´に移動した場合でも、網線と網線係止溝８との充分な係合が保たれているのが好ましく、区片の各々における網線係止溝８の溝の長さが網目の辺の長さの０．１２倍以上であれば係合が保たれるため、法面保護網の移動・振動によるスペーサーの傾倒および法面保護網からの脱落を防止することができる。例えば、スペーサー１をＪＩＳ  Ｇ  ３３５２において規格化されている線径２ｍｍの網線で構成される５０ｍｍ目のひし形の網目を有する法面保護網に設置するために作成した場合には、網線係止溝８の溝の長さは０．６〜１．０ｍｍに設定されているのが好ましい。
【００３０】
図１に示すスペーサー１において、網線係止溝８と下方縁辺４の間隔は、網線係止溝８が法面保護網の対向する網線と係合するため、全て同じ間隔である必要があるが、間隔には制限がない。しかし、網線係止溝８は、側方縁辺３の長さＫの略１/２の位置に設けられているのが好ましく、この位置に設けられていれば、法面保護工事において緑化客土等の保護層をスペーサー１が隠れる程度に施した場合に、法面保護網を保護層の略中央に位置させることができる。
【００３１】
図１に示すスペーサー１において、網線係止溝８の形状には特に制限がなく、網線と充分な係合が保たれる形状であればよい。また、網線係止溝８は折り線を中心として対称形である必要もない。例えば、図１において、網線係止溝８が折り線を中心として非対称であって、スペーサー１の中央寄りの方が長い溝であれば、法面保護網に設置した際に、スペーサー１は網目の辺に近接して広がることになる。しかし、網線係止溝８は、溝幅が法面保護網の網線径よりわずかに大きい長溝であり、しかも網線係止溝８の長さも全て同一であり、すなわち折り線を中心として左右対称な形状になっているのが望ましい。このようにすると、法面保護網に設置した際に、スペーサー１は網目にバランスよく広がって設置され、また網線係止溝８と網線との係合性が極めて良好になるため、法面保護網の移動・振動によるスペーサーの傾倒および法面保護網からの脱落を充分に防止することができ、溝（および開口）の形状が簡単であるため製造も容易である。
【００３２】
図１に示すスペーサーにおいて、各区片の各々における、側方縁辺３と隣接する折り線６との間隔および隣接する折り線間の間隔（Ｌａ、Ｌｂ、Ｌｃ、Ｌｄ）は、少なくともスペーサー１を法面保護網に設置した後においても網線係止溝８と網線とが充分に係合され、その状態をある程度余裕を持って維持できる長さである必要があり、一般にはスペーサー１が網目の対角線方向に差し込まれた際に、スペーサー１の末端の区片２−ａ、２−ｄと網線とが軽く接触する程度の長さであるのが好ましい。各区片２における側方縁辺３と隣接する折り線６との間隔および隣接する折り線間の間隔（Ｌａ、Ｌｂ、Ｌｃ、Ｌｄ）は全て等しい長さである必要はないが、全て等しい長さである場合には、スペーサー１を法面保護網に設置した際に、折り曲げられたスペーサーの復元力が均等に作用するため、スペーサー１が網目全体に広がってバランスよく保護網に保持される。
【００３３】
さらに、図１に示すスペーサーにおいて、各区片２における網線係止溝８の溝底部Ｐ間の間隔（Ｍａ、Ｍｂ、Ｍｃ、Ｍｄ）は、網目の辺の長さと略等しいか、網目の辺の長さ以上であるが、網目の対角線の長さよりは短く設定されているのが好ましい。この間隔が網目の辺の長さより短かいと、スペーサー１を法面保護網に設置した際に、網目の対向する網線と該網線に係合する網線係止溝８の溝底部Ｐとが力を及ぼしあうことができなくなり、網線の移動・振動によるスペーサー１の脱落につながりやすい。また上記間隔が網目の対角線の長さより長いと、網線係止溝８を網線に簡単に係合させることが難しくなる。
【００３４】
網線係止溝８の溝底部Ｐ間の間隔（Ｍａ、Ｍｂ、Ｍｃ、Ｍｄ）は全て等しい長さである必要はなく、網目の辺の長さ以上であり網目の対角線の長さより短かければよい。しかし、少なくとも一方の末端の区片における網線係止溝８の溝底部Ｐ間の間隔が網目の辺の長さと等しければ、末端の区片は網線係止溝が係合していない網線にも接触するため、法面保護網に設置した後にスペーサー１にねじれ方向の力がかかった場合にも、スペーサー１は保護網に安定に保持される。さらに、網線係止溝８の溝底部Ｐ間の間隔が網目の対角線の長さと略等しい区片が含まれていてもよい（以下に示す図６参照）。この場合には、網線係止溝８の溝底部Ｐと網線の対角部（４０２）とがこの区片の両側方において相互に力を及ぼし、網線の移動・振動によってスペーサー１が脱落するのを防止することができる。
【００３５】
本発明において最も好適な形態は、矩形型であって、側方縁辺と平行な３本の折り線が設けられており、全ての区片における形状が等しく、すなわち側方縁辺３と隣接する折り線６間および隣接する折り線６、７間の間隔が全て等しく、網線係止溝８が設けられている位置、溝の形状、溝の長さおよび溝幅が全て等しく、さらに区片２における網線係止溝８の溝底部Ｐ間の間隔が網目の辺の長さと等しいスペーサー１である。この場合には、製造が簡単であり、作業者が一度に大量に運搬することができ、設置する前の折り曲げ回数が少なく、折り曲げられたスペーサー１を網目の対角線方向に差し込んだ後全体を略４５°回転させて対向する網線に網線係止溝８を係合させることにより、スペーサー１の復元力のよさが手伝って手を放すだけで簡単に広がり簡便に設置できる。さらに、設置後にはスペーサー１がその復元力により網目全体Ｗ字状に広がるため、網線と網線係止溝８の溝底部Ｐがバランスよく相互に力を及ぼしあうことができ、スペーサー１が法面保護網から脱落することがなく、また、法面とスペーサー１もバランスよく接触することができるため、スペーサー１が傾倒することがない。また、法面保護網を保持する強度にも問題がない。
【００３６】
上述の実施の形態は、図５に例示するような変形を施すことができる。図５−ａは、変形形態における１つの区片を示した平面図を示しており、図５−ｂは、変形形態における折り線の左右の形状を示している。図５のＡの形態では、矩形型のスペーサー１の下方縁辺４から網線係止溝８に向う網線導入溝１１が設けられている。この形態では、区片２の各々における下方縁辺４の連続する部分の長さ（Ｌ）が網目の対角線より短く設定されており、法面保護網への設置の際は、対向する網線が網線導入溝１１内に入るようにしてスペーサーを網目内に押し込み、さらに回転して網線係止溝８と網線とを係合させる。区片２の各々における網線係止溝８の溝底部Ｐ間の間隔は、網目の辺の長さ以上であり網目の対角線の長さより短く、区片２の各々における網線係止溝８の長さ（ＰＲ間の長さ）は、網線の線径より長く設定されている。矩形型のスペーサー１の下方縁辺４から網線係止溝８に向う網線導入溝１１は、図５のＢに示すように、折り線の左右に広がるように設けられてもよい。但し、折り曲げられたスペーサー１が平板に戻ろうとする復元力が失われないのが望ましい。
【００３７】
さらに、図５のＣに示すように、網線係止溝８の開口端部Ｒのうちの下方縁辺側の開口端部Ｒ´から下方縁辺４に向けて網線導入切り欠き部１２が設けられていてもよい。特に、網線係止溝８の溝底部Ｐ間の間隔が網目の対角線の長さと略等しい区片が含まれているスペーサー１では、区片２の下方縁辺４の連続する部分の長さ（Ｌ）が網目の対角線より短く設定されており、さらに、網線導入切り欠き部１２が設けられていない方の網線係止溝８の溝底部Ｐと網線導入切り欠き部端部（Ｓ）の間隔が網目の対角線の長さより短く設定されている。
【００３８】
図６は、網線係止溝８の溝底部Ｐ間の間隔が網目の対角線の長さと略等しい区片が含まれているスペーサー１を保護網に設置する際の手順を示している。まずスペーサー１を図６の符号１−１に示すように折り曲げ、法面保護網の網目の上から対角線方向に差し込んで設置する。このとき、網線係止溝８に近づくにつれて差し込みにくくなるが、図６の符号１−２に示すように弾性的に係合させることができる。次に図６の符号１−３に示すように、スペーサーの短いほうの区片を押し広げて設置を完了する。このような、網線係止溝８の溝底部Ｐ間の間隔が網目の対角線の長さと略等しい区片が含まれているスペーサーの場合には、区片２の数が２枚または３枚であるのが好ましい。
【００３９】
さらに、本実施の形態のスペーサー１は矩形型である必要はなく、側方縁辺３が図７に示すように円弧状縁辺１３になっていてもよく、スペーサーの強度が法面保護網を保持するのに充分な強度が保たれる限り、例えば下方縁辺に適宜切り欠き部を設けて脚部１４を構成してもよく、平板部分に適宜開口部１５を設けて保護層の流通口を構成してもよく、当業者に公知の技術による変更および修正を加えることもできる。
【００４０】
上述のように、本実施の形態にかかる法面保護網用スペーサー１は紙製のものを用いたが、網線とスペーサー１との力の相互作用により保護網に安定に保持することができるものであれば、他の材料を用いることができるのはもちろんである。また、折り曲げることができ、さらに折り曲げられた後に平板に戻ろうとする復元力を有する材料であればより好適である。例えば、合成プラスチックを材料とし、場合により折り線部分を薄く成形して本発明のスペーサー１を製造することもできる。
【００４１】
しかし、本発明のスペーサー１は、段ボールおよび板紙等のような強度のある紙で構成されるのが好ましい。紙で構成したスペーサー１を緑化客土層により法面保護を行う際に使用すると、スペーサー１は緑化客土層に埋設された後短期間の間に容易に分解されて、緑化客土と一体化する。このとき再生紙を利用すれば、地球環境保全に大きく貢献することができる。また、紙であるため、簡単な製造設備で安価に製造することができる。さらに、紙は金属やプラスチック等に比較して軽量であるため、作業者が作業にあたって一度に大量のスペーサー１を重ねて運搬することができる。従って、特に高所の作業においては作業者がスペーサー１を運搬するために低所と高所とを移動する回数を減らすことができ、作業性が大きく改善される。
【００４２】
また紙への着色・塗装が容易であるという特性を活かし、側方縁辺長に応じて異なった色にスペーサー１を着色して規格を定めることができる。作業者は、色を確認することにより規格の区別をして法面保護網にスペーサー１を設置することができ、また設置後は遠方からスペーサー１の色を確認するだけで法面と保護網の間隔、ひいては保護層の厚みを確認することができるため、作業性が大きく改善される。
【００４３】
【発明の効果】
以上説明したように、本発明のスペーサーは、矩形型の平板から成るため、構造が簡単で容易に製造することができ、また平板として重ねることができるため嵩張らず、作業者が一度に大量に運搬可能である。さらに、設置が極めて簡単であり、折り曲げられたスペーサーの復元力と法面とスペーサーとの広い接触により、法面保護網の移動・振動によるスペーサーの傾倒・脱落が起こりにくい。
【００４４】
また、スペーサーを紙で構成することにより、緑化客土による法面保護においては土中に埋設した後容易に分解させることができる。さらに、紙であるため容易に着色・塗装することができ、従って、色に応じて側方縁辺長を変更した規格を定めればスペーサー設置後の確認作業がしやすく、保護層形成時の保護層厚みの管理作業が容易になる。
【図面の簡単な説明】
【図１】折り線が３本である法面保護網用スペーサーにおける平面図、および折り曲げた形状の斜視図である。
【図２】図１のスペーサーを、保護網に設置する際の手順を示した図である。
【図３】２つの区片の平面図および側方部分の断面図である。
【図４】１つの網目内に係合したスペーサーを示した図である。
【図５】本実施の形態の法面保護網用スペーサーの変形形態における、１つの区片を示した平面図、および折り線の左右の形状を示す平面図である。
【図６】網線係止溝８の溝底部Ｐ間の間隔が網目の対角線の長さと略等しい区片が含まれている形態のスペーサーを、保護網に設置する際の手順を示した図である。
【図７】本実施の形態の法面保護網用スペーサーの変形形態における、２つの区片を示した平面図である。
【符号の説明】
１    法面保護網用スペーサー
２    区片
３    側方縁辺
４    下方縁辺
５    上方縁辺
６    山折り線
７    谷折り線
８    網線係止溝
９    切り欠き部
１０  切り目
１１  網線導入溝
１２  網線導入切り欠き部
Ｐ    網線係止溝の溝底部
Ｒ    網線係止溝の開口端部
【図１】
0004535653.tif 000002
【図２】
0004535653.tif 000003
【図３】
0004535653.tif 000004
【図４】
0004535653.tif 000005
【図５】
0004535653.tif 000006
【図６】
0004535653.tif 000007
【図７】
0004535653.tif 000008